(57)【要約】 【課題】ユーザが望む方式で複写が行われているかどうかは、実際に複写が行われて、複写物を見無ければ判断することができない。複写物を見て、ユーザが望む方式で複写が行われていないと判断した場合、ユーザは、ＡＣＳ機能を利用せずに、自分が所望する複写方式を複写装置に指定して再度複写を行わなければならない。そのため、複写をやり直すために時間を浪費し、さらに用紙やトナーなども無駄に使用することとなる。【解決手段】  本発明の画像処理装置は、原稿の画像形式がカラー画像かモノクロ画像の何れであるかを判断すると、複写前に判断結果をユーザに通知する。ユーザは、この通知により自分が所望する画像形式が採用されていない場合、複写前に採用された画像形式を自分の所望する画像形式に変更する。【選択図】図１
2005143053.tif 000002
【特許請求の範囲】
【請求項１】
原稿の画像形式がカラー画像かモノクロ画像の何れであるかを判断する判断手段を備えた画像処理装置において、
判断手段により判断された画像形式を通知する通知手段と、
通知された画像形式を変更する変更手段を備えたことを特徴とする画像処理装置。
【請求項２】
上記判断手段が用いる閾値を変更する閾値変更手段と、
上記変更手段は、上記閾値が変更されると、上記判断手段に再度判断させる請求項１に記載の画像処理装置。
【発明の詳細な説明】
【技術分野】
【０００１】
本発明は、スキャナ、複写機、複合機等の画像処理機能を備えた画像処理装置に関する。
【背景技術】
【０００２】
原稿を読み取って、その原稿がカラー画像かモノクロ画像かを自動的に判断するＡＣＳ（Auto  color  select）機能を搭載した画像処理装置が製品化されている。この画像処理装置は、ＡＣＳ機能により判断した結果に基づいて、例えばスキャナの場合はモノクロ画像として電子ファイル化したり、カラー画像として電子ファイル化したりする。また、複写機の場合はモノクロ複写方式を採用したり、カラー複写方式を採用したりする。
【０００３】
ＡＣＳ機能で採用される原稿がカラー画像かモノクロ画像かの判断は、例えば特許文献１に記載のように、原稿の全画素数に対するカラーと判断される画素数の割合に基づいて行われる。
【０００４】
カラーと判断される画素数の割合がある閾値より少ない場合、原稿はモノクロ画像と判断され、画素数がある閾値より多い場合は、原稿はカラー画像と判断される。そのため、特許文献１に記載のように、モノクロの原稿の重要な部分に赤や黄等のアンダーライン等が引かれた原稿は、カラーの部分が少ないために、ＡＣＳ機能ではモノクロ画像と認識されて、モノクロ複写方式で複写が行われる。そのため赤や黄等のアンダーラインがモノクロで複写されてしまう。また、印鑑等が押印されたモノクロ原稿の書類は、押印された箇所が朱色であるために、ＡＣＳ機能によって原稿がカラー原稿と認識される場合がある。カラー原稿と認識された場合、押印された箇所がカラーで複写される。そのため、印鑑の部分もモノクロとなっている書類の写しがＡＣＳ機能を利用すると作成されないことがある。
【０００５】
閾値が固定されていると、上記のようにユーザが望む方式で複写が行われない場合がある。このような問題を解決するために、特許文献１においては、ユーザが望む方式で複写が行われていない場合、閾値をユーザが変更することができるようになっている。閾値の変更後は、変更後の閾値に基づいてモノクロ画像かカラー画像かの判断が行われるために、閾値の変更後は、ユーザの所望する方式での複写が行われる。
【特許文献１】特開平２００１−２６８３７９号公報
【発明の開示】
【発明が解決しようとする課題】
【０００６】
しかしながら、ユーザが望む方式で複写が行われているかどうの判断は、実際に複写が行われて、複写物をユーザが見なければできるものではない。したがって、複写物を見て、自分が望む方式で複写が行われていないと判断した場合、ユーザは、ＡＣＳ機能を利用せずに、自分が所望する複写方式を複写装置に指定して再度複写を行わなければならない。そのため、複写をやり直すために時間を浪費し、さらに複写のやり直しのために用紙やトナーなども無駄に使用することとなる。
【０００７】
また、原稿の画像を電子ファイル化して保存する場合においても、ユーザは保存された電子ファイルを開いて見なければ、ユーザの望む画像形式で電子ファイル化されたかどうかわからない。そのため、ユーザが原稿の読取をやり直すための時間と手間が掛かることになる。
【０００８】
そこで、本発明の目的は、原稿読取や複写のやり直しを防止して、作業時間や、用紙や、トナー等の浪費を防ぐことができる複写装置を提供することである。
【課題を解決するための手段】
【０００９】
本発明の複写装置は、原稿の画像形式がカラー画像かモノクロ画像の何れであるかを判断する判断手段を備えており、判断手段により判断された画像形式を通知する通知手段と、通知された画像形式を変更する変更手段を備えたことを特徴とする。
【００１０】
更に、自分が所望する複写方式が採用されていない場合、ユーザは、複写前にその閾値を変更して、カラー画像かモノクロ画像かの判断を再度複写装置に行わせてもよい。
【発明の効果】
【００１１】
本発明の画像処理装置によれば、読み取った原稿の画像形式がカラー画像かモノクロ画像の何れであるかが、電子ファイル化や複写といった処理をする前に通知される。このため、ユーザは判断された画像形式が自分の所望するものであるかどうかを上記の処理をする前に知ることができる。よって、判断された画像形式が自分の所望しないものである場合、ユーザは、採用される画像形式を処理前に変更することで、自分の所望しない画像形式での電子ファイル化や複写が行われることを防止することができるために、複写作業時間や、用紙や、トナーの浪費を防ぐことができる。
【００１２】
カラー原稿かモノクロ原稿かの判断に使用される閾値を変更すると、変更後に判断される全ての原稿については、変更後の閾値が用いられる。そのため、原稿全体に対するカラー画像が占める割合が同じ程度の複数枚の原稿の全てをモノクロ画像又はカラー画像で処理したいとユーザが考えている場合、最初に処理される原稿について採用される画像形式を閾値の値を増減して画像処理装置が採用する画像形式を自分が望む方式に変更すると、その後に複写される残りの原稿についても同じ画像形式が採用される。よって、ユーザは閾値の変更を１回すれば、全ての原稿について自分が所望する画像形式で複写することができる。
【発明を実施するための最良の形態】
【００１３】
（実施の形態１）  
本実施の形態では、画像処理装置が複写装置であり、自動原稿搬送装置に載置された複数枚の原稿を複写する場合について説明する。
【００１４】
複写装置１００は、プラテンに載置された原稿や、自動原稿搬送装置（ＡＤＦ）に載置された原稿を読み取ることができる。
【００１５】
ユーザは、複写装置１００を用いて原稿を複写する場合、プラテンや自動原稿搬送装置
に原稿を載置して、図１に示す複写装置１００に設けられたスタートキー１１０を押下する。
【００１６】
スタートキー１１０が押下されると、原稿読取手段１０４は、プラテンや自動原稿搬送装置に載置された原稿を読み取る。
【００１７】
スタートキー１１０が押下されると、上記原稿読取手段１０４は、自動原稿搬送装置から原稿を１枚づつ搬送してもらう。上記原稿読取手段１０４は、搬送された各原稿を読み取ると、読み取って得た各原稿の画像データを判断手段１０１に入力する（図２、Ｓ２０１）。
【００１８】
画像データが入力されると、上記判断手段１０１は、背景技術に記載したようにＡＣＳ機能を用いて各原稿の画像データに基づいて、各原稿がカラー画像であるかモノクロ画像であるかを判断する。ここで、判断結果がカラー画像であればカラー複写方式が採用され、モノクロ画像であればモノクロ複写方式が採用されるので、それぞれの複写方式が判断されたことになる。（図２、Ｓ２０２）。上記原稿読取手段１０４に１枚目に読み取られた原稿の複写に採用する複写方式を判断すると、上記判断手段１０１は、その原稿の複写に採用すると判断した複写方式を通知手段１０２に通知する。上記通知手段１０２は、図３に示すように通知された複写方式を変更するかどうかをユーザに選択させるための確認画面３０１を表示パネル１０３に表示する（図２、Ｓ２０３）。図３では、上記判断手段１０１がカラー複写方式を採用すると判断した場合の確認画面３０１が示されている。
【００１９】
ユーザは、確認画面３０１にて表示されたカラー複写方式を承認する場合、承認ボタン３０２を押下し、複写方式をモノクロ複写方式に変更する場合、複写方式変更ボタン３０３を押下し、上記判断手段１０１が用いる閾値を変更する場合、閾値変更ボタン３０４を押下する。
【００２０】
承認ボタン３０２が押下された場合、上記通知手段１０２は、上記判断手段１０１に承認された旨を通知する（図２、Ｓ２０４）。承認された旨が通知されると、上記判断手段１０１は、１枚目の原稿の画像データを複写手段１０５に入力し、カラー複写方式が承認されたことを上記複写手段１０５に通知する。
【００２１】
画像データが入力され、カラー複写方式が承認されたことが通知されると、上記複写手段１０５は、画像データをカラー複写方式で用紙に複写する（図２、Ｓ２０５）。
【００２２】
上記判断手段１０１は、画像データを複写手段１０５に入力し、カラー複写方式が承認されたことを上記複写手段１０５に通知すると同時に、次の原稿の画像データの複写に採用すると判断した複写方式を上記通知手段１０２に通知する。以後、1枚目の原稿のときと同じように、上記通知手段１０２は、確認画面を表示パネル１０３に表示する。
【００２３】
確認画面３０１の複写方式変更ボタン３０３が押下された場合、上記通知手段１０２は、カラー複写方式の承認の確認画面３０１の複写方式変更ボタン３０３が押下された旨を変更手段１０６に通知する。カラー複写方式の承認の確認画面３０１の複写方式変更ボタン３０３が押下された旨が通知されると、上記変更手段１０６は、画像形式をモノクロ画像に変更し、その旨を上記判断手段１０１に通知する。モノクロ画像に変更されたことが通知されると、上記判断手段１０１は、複写に採用する画像形式がモノクロ画像と判断し、複写方式をモノクロ複写方式に変更する（図２、Ｓ２０６→Ｓ２０７）。採用する複写方式をモノクロ複写方式に変更すると、上記判断手段１０１は、１枚目の原稿の画像データを上記複写手段１０５に入力し、モノクロ複写方式が承認されたことを上記複写手段１０５に通知する。画像データが入力され、モノクロ複写方式が承認されたことが通知されると、上記複写手段１０５は、モノクロ複写方式で画像データを用紙に複写する（図２、Ｓ２０５）。
【００２４】
承認ボタン３０２が押下された場合と同様に、上記判断手段１０１は、原稿の画像データを複写手段１０５に入力し、カラー複写方式が承認されたことを上記複写手段１０５に通知すると同時に、次の原稿の画像データの複写に採用すると判断した複写方式を上記通知手段１０２に通知する。
【００２５】
確認画面３０１の閾値変更ボタン３０４が押下された場合、上記通知手段１０２は、閾値変更手段１０７に閾値変更ボタン３０４が押下された旨を通知する。閾値変更ボタン３０４が押下された旨が通知されると、上記閾値変更手段１０７は、図４に示すように、表示パネル１０３に閾値を入力するための閾値変更画面４０１を表示する。上記閾値変更画面４０１には、左右のカーソルキー４０２ａ、４０２ｂが表示される。左向きのカーソルキー４０２ａが押下されると、閾値が低くなり、右のカーソルキー４０２ｂが押下されると閾値が高くなる。ユーザは、左右のカーソルキー４０２ａ、４０２ｂを用いて自分の所望する値に閾値を変更すると、決定ボタン４０３を押下する（図２、Ｓ２０８）。
【００２６】
決定ボタン４０３が押下されると、上記閾値変更手段１０７は、変更された閾値を上記判断手段１０１に通知する。
【００２７】
上記判断手段１０１は、変更された閾値を用いて、１枚目に読み取られた原稿の画像形式を判断し、画像データの複写にモノクロ複写方式を採用するかカラー複写方式を採用するかを判断する（図２、Ｓ２０２）。上記判断手段１０１は、この判断において１枚目に読み取られた原稿の複写に採用すると判断した複写方式を上記通知手段１０２に通知する。上記通知手段１０２は、通知された複写方式の承認をユーザに得るための確認画面を表示パネル１０３に表示する（図２、Ｓ２０３）。
【００２８】
このようにして、閾値変更ボタン３０４が押下されて閾値が変更されると、以後変更された閾値で採用する画像形式の判断が行われる。
【００２９】
なお、閾値の変更があった場合、上記のように、それ以後の採用する画像形式の判断を変更された閾値で行ってもよいが、変更があった直後の判断に対してのみ変更された閾値を用いて判断が行われるようにしてもよい。
【００３０】
上記では、自動原稿搬送装置に載置された原稿の複写方式の判断をユーザに選択させる場合について説明したが、上記判断手段１０１の判断の対象となる原稿は、プラテンに載置された原稿であっても構わない。
【００３１】
また、複写手段１０５の代わりに、保存手段を設けて読み取った画像を電子ファイルとして保存してもよい。
【図面の簡単な説明】
【００３２】
【図１】本発明の複写装置の要部概略図である。
【図２】採用される複写方式の決定手順を表したフローチャートである。
【図３】確認画面の模式図である。
【図４】閾値変更画面の模式図である。
【符号の説明】
【００３３】
１００  複写装置
１０１  判断手段
１０２  通知手段
１０６  変更手段
１０７  閾値変更手段
【図１】
2005143053.tif 000003
【図２】
2005143053.tif 000004
【図３】
2005143053.tif 000005
【図４】
2005143053.tif 000006